(57)【要約】【課題】場所によりイオンがばらつくことをなくし、さらに、時系列上でイオンが変動することを抑え、安定した除電を行うことができるバータイプ除電器を提供する。さらに、効率的にイオンの到達距離を長くできるバータイプ除電器を提供する。【解決手段】本発明のバータイプ除電器は、位置的に交互に＋と−のイオンが発生されるイオン発生用の放電針が配列された２本のバー状イオン発生器を有する。これら２本のバー状イオン発生器は逆極性のイオン発生用の放電針が対向するように並列に配置されている。これら２本のバー状イオン発生器の間に配置され、かつ対向する放電針の間に位置するように吹き出し口が設けられた送風機構をさらに有する。【選択図】    図１
2005228655.tif 000002
【特許請求の範囲】
【請求項１】
位置的に交互に＋と−のイオンが発生されるイオン発生用の放電針が配列された２本のバー状イオン発生器を有し、該２本のバー状イオン発生器は逆極性のイオン発生用の放電針が対向するように並列に配置されており、前記２本のバー状イオン発生器の間に配置され、かつ対向する放電針の間に位置するように吹き出し口が設けられた送風機構をさらに有することを特徴とするバータイプ除電器。
【請求項２】
請求項１記載のバータイプ除電器において、各バー状イオン発生器に配列された放電針間の距離が、配置された２本のバー状イオン発生器の放電針の間の距離と等しいか、または配置された２本のバー状イオン発生器の放電針の間の距離より大きいことを特徴とするバータイプ除電器。
【請求項３】
請求項１または２記載のバータイプ除電器において、２本のバー状イオン発生器の中央に配置された、イオンバランスを測定するイオンバランスセンサをさらに有することを特徴とするバータイプ除電器。
【請求項４】
請求項３に記載のバータイプ除電器において、前記イオンバランスセンサが前記送風機構に取付けられていることを特徴とするバータイプ除電器。
【請求項５】
請求項３または４記載のバータイプ除電器において、前記イオンバランスセンサは電界だけを測定する電界測定電極と、電界とイオン電流の両方を測定する電界およびイオン電流測定電極とからなることを特徴とするバータイプ除電器。
【請求項６】
請求項５記載のバータイプ除電器において、前記電界測定電極は絶縁体基板と、該絶縁体基板上に形成された第１導体および該第１導体を被覆するように該第１導体上に形成された絶縁体とからなり、前記電界およびイオン電流測定電極は前記絶縁体基板上に形成された前記第１導体と並列して形成された第２導体からなることを特徴とするバータイプ除電器。
【請求項７】
請求項３〜６のいずれかに記載のバータイプ除電器において、前記電界測定電極と前記電界およびイオン電流測定電極で測定した値からイオン電流を求めることを特徴とするバータイプ除電器。
【請求項８】
請求項７記載のバータイプ除電器において、前記イオン電流からイオンバランスを求め、除電器本体でイオンバランス制御を行うことを特徴とするバータイプ除電器。
【発明の詳細な説明】
【技術分野】
【０００１】
本発明は、静電気を除去するバータイプ除電器に関する。
【背景技術】
【０００２】
従来のバータイプ除電器としては、位置的に＋と−のイオンを交互に発生するように複数のイオン発生放電針を１本のバーに配置したものが知られている。このバータイプ除電器には、＋と−のイオン発生を交流により、または＋と−の直流電圧の印加を切り替えることにより、発生するイオンの極性を時系列上で切り替えるものがある。また、＋と−の直流電圧を切り替えることなく印加するものもある。
【発明の開示】
【発明が解決しようとする課題】
【０００３】
前述の従来のバータイプ除電器はイオンバランスが場所によりばらつくという弱点があった。特に、バーの両端のイオンバランスが悪かった。さらに時系列上でイオンバランスが変動し不安定という問題もあった。また、従来のバータイプ除電器が無風型の場合、イオンの到達距離が短いという問題もあった。
【０００４】
したがって、本発明の目的は、場所によりイオンがばらつくことをなくし、さらに、時系列上でイオンが変動することを抑え、安定した除電を行うことができるバータイプ除電器を提供することにある。
【０００５】
さらに、効率的にイオンの到達距離を長くできるバータイプ除電器を提供することにある。
【課題を解決するための手段】
【０００６】
本発明のバータイプ除電器は、位置的に交互に＋と−のイオンが発生されるイオン発生用の放電針が配列された２本のバー状イオン発生器を有し、該２本のバー状イオン発生器は逆極性のイオン発生用の放電針が対向するように並列に配置されており、前記２本のバー状イオン発生器の間に配置され、かつ対向する放電針の間に位置するように吹き出し口が設けられた送風機構をさらに有する。
【発明の効果】
【０００７】
本発明によれば、場所によるイオンバランスのばらつきが少ないバータイプ除電器が得られる。また、イオンバランスセンサにより自己の放出するイオンバランスを精度良く測定し、その結果を利用してイオンバランスの良いバータイプ除電器が得られる。また、送風機構によりイオン距離を伸ばし、広い範囲にわたり強力で効率の良いバータイプ除電器が得られる。
【発明を実施するための最良の方法】
【０００８】
本発明のバータイプ除電器は、位置的に交互に＋と−のイオンが発生されるイオン発生用の放電針が配列された２本のバー状イオン発生器を有する。これら２本のバー状イオン発生器は逆極性のイオン発生用の放電針が対向するように並列に配置されている。これら２本のバー状イオン発生器の間に配置され、かつ対向する放電針の間に位置するように吹き出し口が設けられた送風機構をさらに有する。
【実施例１】
【０００９】
次に、図面を参照して本発明の実施例１のバータイプ除電器を説明する。図１は、実施例1および２のバータイプ除電器を示す図であり、図１ａはバータイプ除電器の平面図であり、図１ｂはバータイプ除電器の側面図である。
【００１０】
図１において、バータイプ除電器１０は、バータイプ除電器本体（以下、本体という）１８から電圧が印加されて位置的に交互に＋と−のイオンを複数のイオン発生電極針（以下、電極針という）１２ａから発生するように電極針１２ａが配列されたバー状イオン発生器（以下、イオン発生器という）１２と、本体１８から電圧が印加されて位置的に交互に＋と−のイオンを複数の電極針１４ａから発生するように電極針１４ａが配列されたイオン発生器１４を有する。２本のイオン発生器１２と１４は互いの電極針１２ａと１４ａが対向するように並列に配置されている。２本のイオン発生器１２と１４の間には送風機構が設けられており、送風機構はファンバーまたはエアバー２０と、ファンバー２０からの風を吹き出すための吹き出し口２１ａが設けられたプリント基板２１とからなる。
【００１１】
本体１８は、図示を省略するが、主要回路として、放電針に印加する電圧（交流電圧、または所定の時間ごとに極性を切り替えられる＋と−の直流電圧、または切り替えのない＋と−の直流電圧）を発生する回路を有する。また、好ましくは、電圧発生回路に加えて、電界測定電極と電界およびイオン電流測定電極で測定した値からイオン電流を求め、さらに、イオン電流からイオンバランスを求め、除電器本体のイオンバランス制御を行う制御回路を有する。
【００１２】
前述のような構成であるので、すなわち、２本のイオン発生器１２と１４の対向する放電針１２ａと１４ａは交互に逆極性のイオンを発生するので、イオン同士は互いに引き合い、それらの中間の位置、すなわち、プリント基板２１の吹き出し口２１ａに向かい集まってくる。プリント基板２１の吹き出し口２１ａが発生したイオンの集中個所にあるので、効率良くイオンを遠方にエアで運ぶことができる。また、これと同時に、イオン発生器１２上に設けられた複数の放電針１２ａ、またはイオン発生器１４上に設けられた複数の放電針１４ａは交互に逆極性のイオンを発生するので、イオン同士は互いに引き合い、それらの中間の位置に向かい集まってくる。
【実施例２】
【００１３】
実施例２では、イオン発生器の放電針の間隔と２本のイオン発生器の放電針の間隔との関係を適切に選び、送風機構によりイオンを効率良く遠方に運ぶようにするものである。
図１において、イオン発生器１２（または１４）に設けられた隣り合う放電針１２ａ、１２ａ（または１４ａ、１４ａ）間の距離をＤ１とし、２本のイオン発生器１２と１４に設けられた対向する放電針１２ａと１４ａとの間の距離をＤ２とすると、Ｄ１≧Ｄ２となるように２本のイオン発生器を配置するのが好ましい。すなわち、このように配置すると、発生されたイオンは各イオン発生器１２、または１４の隣り合う放電針１２ａ、１２ａ（または１４ａ、１４ａ）におけるよりも２本のイオン発生器１２と１４との間により多く集まるようになり、より多く集まったイオンに対して送風を行うので、効率的にイオンを遠方に運ぶことができる。
【実施例３】
【００１４】
図２は、実施例３のバータイプ除電器を示す図であり、図２ａはバータイプ除電器の平面図であり、図２ｂはバータイプ除電器の側面図であり、図３は、実施例３で用いられる測定装置の拡大図であり、図３ａは測定装置の平面図であり、図３ｂは測定装置の側面図である。
【００１５】
図２において、２本のイオン発生器１２と１４との間には、電界測定電極と、電界とイオン電流の両方を測定する電界およびイオン電流測定電極を有する測定装置（イオンバランスセンサ）３０が配置されている。本発明では、この測定装置３０は、前述のプリント基板２１として構成されている。
【００１６】
測定装置の拡大して示す図３を参照すると、測定装置３０は、プリント基板２１からなり、長手方向に２分割されている。長手方向の片方が「電界」測定電極であり、他方が「電界およびイオン電流」測定電極である。電界測定電極はプリント基板２１上に導体２２が形成され、さらに導体２２の上に導体２２を覆うように形成された絶縁体２６からなる。この電界測定電極は放電針からの電界の影響は受けるが、空間のイオンが電極に吸収されイオン電流として流れることがないようになっている。
【００１７】
電界およびイオン測定電極はプリンタ基板２１上に形成された導体２４からなる。この電界およびイオン測定電極は導体２４が露出しているので、電界の影響とイオン電流の影響の両方を受ける。なお、測定後の演算で、電界の影響を打ち消すために、導体２２と導体２４の面積は同一にしてある。
【００１８】
次に、イオンバランスの制御を説明すると、除電器の動作中、電界測定電極で電界を測定し、それと同時に電界およびイオン測定電極で電界とイオン電流の合算値を測定する。これらの値をライン２８、２９で本体１８に送り、２つの値の減算処理を行い、イオン電流を求める。イオン電流は空間のイオンバランスを表すので、この数値を用いてイオンバランス制御を行う。すなわち、イオンバランスが＋傾向になれば、除電器本体では−イオンを増強するように制御し、イオンバランスが−傾向になれば、除電器本体で＋イオンを強化するように制御する。この結果、絶えずイオンバランスの良い、イオンが放出され、高精度の除電が行える。
【図面の簡単な説明】
【００１９】
【図１】図１は、実施例1および２のバータイプ除電器を示す図であり、図１ａはバータイプ除電器の平面図であり、図１ａはバータイプ除電器の側面図である。
【図２】図２は、実施例３のバータイプ除電器を示す図であり、図２ａはバータイプ除電器の平面図であり、図２ｂはバータイプ除電器の側面図である。
【図３】図３は、実施例３で用いられる測定装置の拡大図であり、図３ａは測定装置の平面図であり、図３ｂは測定装置の側面図である。
【符号の説明】
【００２０】
１０      バータイプ除電器
１２      バー状イオン発生器
１４      バー状イオン発生器
１６      吹き出し板
１８      除電器本体
２０      ファンバー
２１      プリント基板
３０      測定装置
【図１】
2005228655.tif 000003
【図２】
2005228655.tif 000004
【図３】
2005228655.tif 000005